(57)【特許請求の範囲】
【請求項１】
壁面に取付けた固定部材と、固定部材の下面に取付けたスライドレールと、スライドレールを転動可能なローラーとを上部に有する移動式キャビネットの取付構造であって、ローラーを壁面側ローラーと前面側ローラーとで構成し、壁面側ローラーと前面側ローラー間の中心位置を、キャビネットの重心線よりも壁面側に偏らせて設け、スライドレールを壁面側ローラーを受ける壁面側ローラー受け部と、前面側ローラーを受ける前面側ローラー受けとで構成し、壁面側ローラー受け部を前面側ローラー受け部よりも相対的に下方に設けたことを特徴とする移動式キャビネットの取付構造。
【発明の詳細な説明】
【０００１】
【発明の属する技術分野】
本発明は、壁に隣接する移動キャビネットに関して、キャビネットの移動時の壁面方向への振れや壁面への接触を解消するものに関する。
【０００２】
【従来の技術】
従来、狭いトイレルーム内で収納部を有効に設置するという観点から、本出願人は、特願平８−３０８９６号（特開平９−２２０１７７号）に開示された移動式キャビネットを提案した。
それは図４乃至図６に示すように、トイレルームの壁面Ｗに設置されたカウンター１の下面に取付けられたスライドレール２にキャビネット３のローラー４が転動することによって、壁面Ｗに沿って左右に動くようになっている。
また、キャビネット３が壁面Ｗに沿って移動するときにキャビネット３が揺動による壁面Ｗへの接触を防止するために、キャビネット３の下端に板状あるいはローラー状の振れ止め５を設けていた。
【０００３】
【発明が解決しようとする課題】
しかし、上述のような振れ止め５により、
（１）別部材を追加することによる製品コスト、組立コストがかかる。
（２）振れ止め５が目に触れるため、意匠的な難があった。
（３）板状の振れ止めの場合には、壁面への取付位置の調整が必要であり、施工が面倒であった。
という問題があった。
そこで、本発明は、キャビネットの移動時の壁への接触を防ぐ構造を安価に提供することを目的とする。
【０００４】
【課題を解決するための手段】
本発明は上記の問題点を解決するために、壁面に取付けた固定部材と、固定部材の下面に取付けたスライドレールと、スライドレールを転動可能なローラーとを上部に有する移動式キャビネットの取付構造であって、ローラーを壁面側ローラーと前面側ローラーとで構成し、壁面側ローラーと前面側ローラー間の中心位置を、キャビネットの重心線よりも壁面側に偏らせて設けたことを特徴とする。
【０００５】
本発明は更に、スライドレールを壁面側ローラーを受ける壁面側ローラー受け部と、前面側ローラーを受ける前面側ローラー受けとで構成し、壁面側ローラー受け部を前面側ローラー受け部よりも相対的に下方に設けたことを特徴とする。
【０００６】
【発明の実施の形態】
本発明の実施の形態を説明する。
図４において、トイレルームの壁面Ｗに固定部材としてカウンター１が設置され、その下面に取付けられたスライドレール２にキャビネット３の上部のローラー４を転動させることによって、壁面Ｗに沿って左右に動く移動式キャビネットを構成している。
キャビネット３は、左側面を開放した右キャビネット３ａと、右側面を開放した左キャビネット３ｂとを組み合わせて、左右一対として構成され、その内部が収納部になっている。
【０００７】
図１に示すように、キャビネット３の上面には、キャビネット３の重心線よりも壁面側に偏らせてアングル６が固定され、アングル６にスライドレール２を転動するローラー４が設けられている。ローラー４は、壁面側ローラー４ａと、前面側ローラー４ｂとに分かれている。
スライドレール２は、アルミニウム板を折曲げて下方が開放されたチャンネル状に形成され、その上板７をカウンター１にビス１０で取り付けられる。スライドレール２は、壁面側ローラー４ａを受ける壁面側ローラー受け部８と、前面側ローラー４ｂを受ける前面側ローラー受け部９とを有し、さらに壁面側ローラー受け部８を前面側ローラー受け部９よりも相対的に下方に設けている。具体的には、スライドレール２の上板７の上面と壁面側ローラー受け部８の上突部８ａとの厚みｔ１を、スライドレール２の上板７の上面と前面側ローラー受け部９の上突部９ａとの厚みｔ２より大きく形成することで、壁面側ローラー受け部８を前面側ローラー受け部９よりも相対的に下方に配置させているのである。
【０００８】
この移動式キャビネットでは、壁面側ローラー４ａと前面側ローラー４ｂ間の中心位置ｃが、キャビネット３の重心線Ｇよりも壁面側に偏るように、アングル６の取付位置を設定した。それにより、キャビネット３が前方側に傾くような重心位置となる。
さらに、壁面側ローラー４ａと、スライドレール２の壁面側ローラー受け部８の上突部８ａとを接触させ、且つ、前面側ローラー４ｂと、スライドレール２の下片上面に形成された前面側ローラー受け部９の下突部９ｂとを接触させる取合いとする。それは、スライドレール２を、ローラー４の径より上下方向に多少の余裕を持つようなうな内寸に形成しておけば、キャビネット３が前側に傾く重心位置となっているため、そのような接触状態となるのである。
それにより、キャビネット３が垂直姿勢になるように補整されるのである。
【０００９】
以上説明したように、この移動式キャビネットにおいては、キャビネット３に壁面側に向かう力がかかっても、壁面側ローラー４ａと、スライドレール２の壁面側ローラー受け部８の上突部８ａとを接触させ、且つ、前面側ローラー４ｂと、スライドレール２の下片上面に形成された前面側ローラー受け部９の下突部９ｂとを接触させる取合いとなっているため、キャビネット３の移動時に前方側に振れることはあっても、壁面側に振れることはない。すなわち、キャビネット３の壁面Ｗへの接触を防ぎ、壁面Ｗやキャビネット３の傷付きを防止することができる。
また、従来技術のように、別部材をキャビネット３の振れ止めにすることがないので、低コストでキャビネット３の振れ止めを実現でき、さらに、外観に別部材が見えないので意匠性も高まる。
【００１０】
また、壁面側ローラー受け部８と前面側ローラー受け部９との相対高さの違いを大きく取るようにすれば、キャビネット３の上部と壁面Ｗとの隙間ｕよりもキャビネット３の下部と壁面Ｗとの隙間ｖを大きく取ることができる。
それにより、壁面Ｗの下部に巾木Ｈを設けた場合にも、図３（ａ）で説明する従来構造のｕ＞ｖの場合と比較して、図３（ｂ）のように、巾木を避けた位置にキャビネット３を設置することができ、キャビネット３の移動時に巾木Ｈに接触することがない。
【００１１】
なお、スライドレール２をカウンター１に取付ける際に、スライドレール２の上板７の上面とカウンター１の下面との隙間を、アジャスタボルトなどにより壁面側と前面側とでそれぞれ調節可能としておけば、キャビネット３の垂直姿勢を微調整することができる。
【００１２】
この実施の形態においては、固定部材として、カウンターを壁面に取付けたが、例えば吊り戸棚を壁面に固定してもいい。
【００１３】
また、上記の実施の形態の変形例として、図２のように、スライドレール１２を幅広く形成することができる。
これによれば、壁面側ローラー１４ａと前面側ローラー１４ｂとの間隔が大きくなるので、キャビネット１３を安定させて移動することができる。
【００１４】
【発明の効果】
本発明によれば、移動式キャビネットの移動時の壁面への接触を、低コストで防止できる。
さらに、従来品のローラーの取付位置や取合いを変更しただけなので、製品の外観も損なわない。
【図面の簡単な説明】
【図１】本発明の移動式キャビネットの断面図である。
【図２】移動式キャビネットの変形例を示す断面図である。
【図３】キャビネットと壁面との隙間を示す側面図である。
【図４】移動式キャビネットを説明する図である。
【図５】図４の取付け状態を説明する図である。
【図６】従来の移動式キャビネットの断面図である。
【符号の説明】
１  …  固定部材（カウンター）
２  …  スライドレール
３  …  キャビネット
４  …  ローラー
４ａ  …  壁面側ローラー
４ｂ  …  前面側ローラー
８  …  壁面側ローラー受け部
９  …  前面側ローラー受け部
ｃ  …  壁面側ローラーと前面側ローラーの中心位置
Ｇ  …  キャビネットの重心線
Ｗ  …  壁面
【図１】
0003555730.tif 000002
【図２】
0003555730.tif 000003
【図３】
0003555730.tif 000004
【図４】
0003555730.tif 000005
【図５】
0003555730.tif 000006
【図６】
0003555730.tif 000007